(57)【要約】【課題】受取人が送信用シート媒体に付された内容を、送信用シート媒体を保存することなく見栄え良く且つ簡易に整理、保管等できる送信用シート媒体を実現する。【解決手段】送信用シート媒体１は、台紙本体２と、この台紙本体２に剥離可能に貼着されたシール部材３とを備える。シール部材３は、透明フィルム３２で塞がれた窓部３０と、この窓部３０以外のフレーム部３３とを有する。また、シール部材３は、裏面に弱粘着性接着剤３４を形成し、写真４（薄物）を窓部３０から視認できるように台紙本体２との間に保持可能とし、且つ台紙本体２から剥離した後でもスクラップ台紙５０等の他の部材に写真４（薄物）と共に再貼着できるようにする。【選択図】  図１
2004338258.tif 000002
【特許請求の範囲】
【請求項１】
台紙本体と、この台紙本体に剥離可能に貼着されたシール部材とを備え、
上記シール部材は、透明フィルムで塞がれた窓部と、この窓部以外のフレーム部とを有するものであって、シール部材の外形サイズよりも小さい薄物を窓部から視認できるように上記台紙本体との間に保持可能とし且つ上記台紙本体から剥離した後でも他の部材に再貼着可能な弱粘着性接着剤が少なくともフレーム部の裏面に形成してあることを特徴とする送信用シート媒体。
【請求項２】
請求項１に記載の送信用シート媒体において、
上記シール部材の表面に、模様、キャラクター、メッセージ欄等の装飾が施された送信用シート媒体。
【発明の詳細な説明】
【０００１】
【発明の属する技術分野】
この発明は、送信用シート媒体において、写真等の薄物を簡易に添付でき、送信用シート媒体に付された内容を受取人において見栄え良く且つ簡易に整理、保管等できるものに関する。
【０００２】
【従来の技術】
従来において、この種の送信用シート媒体としては、実開平４−１３７８７８号公報に記載のポストカード（特許文献１）や、実開平７−７９６６号公報に記載のメッセージカード（特許文献２）などがある。
【０００３】
前者のポストカードは、図３に示すように、葉書大の透明硬質プラスチックシート本体３０１と、同じく葉書大の透明軟質フィルム３０３との間に、表面を透明硬質プラスチックシート本体３０１側に向けた写真３０５を介装させて張り合わせたものである。これによれば、写真３０５を簡易に装着できると共に、表面に写真３０５が突出することなくそこに現された被写体等を透明硬質プラスチック本体３０１を介して見ることができる体裁の良いものが得られるとするものである。
【０００４】
後者のメッセージカードは、図４に示すように、メッセージ文書４１６を綴じた表表紙４０２の表面に開口部４０４を設け、この開口部４０４にテレホンカード４０６を嵌め込みその上に透明シート４０９を付着したものであり、テレホンカード４０６表面と表表紙４０２とには統一した花模様４０８が施されている。これによれば、メッセージとともにテレホンカード等の前払い式証票カードをスマートに贈呈でき、また、使用後の前払い式証票カードをもらった状態に取り付けてメモリアル商品として保存できるとするものである。
【０００５】
【特許文献１】
実開平４−１３７８７８号公報
【特許文献２】
実開平７−７９６６号公報
【０００６】
【発明が解決しようとする課題】
しかしながら、上記いずれのものも、受取人において、送信用シート媒体に付された写真やメッセージ、その他の送り主の住所・氏名等の各種の内容を残しておくには、送信用シート媒体そのものを保管する必要がある。そのため、送信用シート媒体そのものを保管することでは、見栄え良く整理、収納できる形態で保管することが困難であった。また、送信用シート媒体に付された各種の内容を手書き等で適宜抽出して整理、保管等するのも面倒であった。
【０００７】
本発明は、上記事情に鑑みてなされたものであり、送信用シート媒体に付された内容を受取人において見栄え良く且つ簡易に整理、保管等できる送信用シート媒体を実現したものである。
【０００８】
【課題を解決するための手段】
本発明に係る送信用シート媒体は、台紙本体と、この台紙本体に剥離可能に貼着されたシール部材とを備え、上記シール部材は、透明フィルムで塞がれた窓部と、この窓部以外のフレーム部とを有するものであって、シール部材の外形サイズよりも小さい薄物を窓部から視認できるように上記台紙本体との間に保持可能とし且つ上記台紙本体から剥離した後でも他の部材に再貼着可能な弱粘着性接着剤が少なくともフレーム部の裏面に形成してあることを特徴とするものである。なお、上記薄物としては、例えば、写真、ＱＵＯカード・ギフトカード・チケット・商品券・各種プリペイドカード等の贈答品、地図・飲食メニューカード・名刺等の広告媒体を含むものである。
【０００９】
上記構成より、シール部材の窓部から視認できるように写真等の薄物を台紙本体に添付することができ、受取人の興味を強く引き付けることができる。また、シール部材のフレーム部表面に所望のメッセージ等を書き込むことができ、受取人の興味を更に強く引き付けることができる。
【００１０】
そして、台紙本体に貼着されているシール部材は、台紙本体から剥離した後でも他の部材に再貼着できるので、この送信用シート媒体の受取人は、シール部材を台紙本体から剥がし、この剥離したシール部材によって添付されている写真等の薄物をスクラップ台紙等の他の部材に再貼着させることができる。なお、添付の薄物とは別にこのシール部材を装飾用のシールとして他の部材に再貼着し利用することもできる。
【００１１】
また、上記シール部材の表面に、模様、キャラクター、メッセージ欄等の装飾が施されてもよい。これにより、シール部材の窓部から透視される写真等の薄物を装飾で飾ることができる。
【００１２】
【発明の実施の形態】
以下に、本発明の実施の形態について添付図面を参照しながら説明する。
図１は、本発明の実施の形態による送信用シート媒体１の裏面側を示す平面図である。図１に示すように、この送信用シート媒体１は、台紙本体２と、窓部３０を有し台紙本体２に剥離可能に貼着されたシール部材３とを備えるものである。そして、使用時には、これら台紙本体２とシール部材３との間に薄物としての写真４をシール部材３の窓部３０から視認できるように保持させて、各種グリーティングカード、電報、ダイレクトメール等として使用に供されるものである。なお、この送信用シート媒体１に添付する写真４は、シール部材３の外形サイズよりも小さいものである。
【００１３】
上記台紙本体２は、紙製またはプラスチック製であり、矩形シート状のものである。この台紙本体２としては、例えば、表面に宛先欄のあるポストカードや官製はがき等が使用されるが、単なる台紙であってもよく、また、その大きさも特に限定されず、さらに、２つ折りのものでもよい。
【００１４】
上記シール部材３は、上記台紙本体２とほぼ同一の大きさを有し、透明フィルム３２で塞がれた窓部３０と、この窓部３０以外のフレーム部３３とを有する。そして、このシール部材３の層構造は、窓部３０となる開口３１０を設けた紙製またはプラスチック製等の基材３１と、この基材３１の開口３１０を覆って表面に形成した透明フィルム３２と、この基材３１の開口３１０を除いた裏面全体に塗布した弱粘着性接着剤３４とを有する。上記弱粘着性接着剤３４としては、例えば、アクリル系溶剤型の接着剤が使用される他、公知の接着剤が使用される。
【００１５】
また、シール部材３のフレーム部３３表面は、花模様３５とメッセージ欄３６とからなる装飾３７が施されている。この装飾３７は、上記基材３１表面に印刷されている。
【００１６】
なお、上記透明フィルム３２は、基材３１表面全体に被覆形成されているが、必ずしも基材３１表面全体を被覆させる必要はなく、窓部３０を塞ぐ程度の大きさであればよい。
【００１７】
次に、この送信用シート媒体１の使い方を説明する。
まず、送り主は、用意した所望の写真４を台紙本体２の裏面に配置してその上からシール部材３を貼り付ける。このとき、写真４がシール部材３の窓部３０から視認できるように配置させる。
【００１８】
なお、このシール部材３の裏面には、弱粘着性接着剤３４が塗布されているので、写真４が脱落することなく台紙本体２とシール部材３との間に保持される。また、シール部材３の窓部３０は、透明フィルム３２で塞がれているので、この窓部３０から写真４が脱落することもなく、また、この透明フィルム３２によって写真４の表面に傷が付かないように保護することができる。このようにして、写真４を台紙本体２とシール部材３との間に保持させて送信用シート媒体１に確実に添付することができる。
【００１９】
次いで、シール部材３のフレーム部３３にはメッセージ欄３６が設けてあるので、このメッセージ欄３６に油性ペン等で必要に応じて所望のメッセージを書き込む。これにより、受取人の興味を引くような写真付きカードに仕上がる。
【００２０】
後は、台紙本体２の表面に受取人の住所、氏名等の宛先を記載し、郵送等の手段で送ればよい。
【００２１】
一方、この送信用シート媒体１を受け取った受取人は、シール部材３のフレーム部３３に花模様３５やメッセージ等が施され、しかも、シール部材３の窓部３０から写真４を覗き見る感じになるので、その興味を強く引き付けることができる。
【００２２】
そして、このシール部材１は、裏面に弱粘着性接着剤３４が塗布されているので、台紙本体２から剥離可能であり、しかも、この剥離したシール部材３を他の部材として、例えばスクラップ台紙５０に再貼着させることができる。これにより、受取人は、図２に示すように、このシール部材３を台紙本体２から剥がし、この剥離したシール部材３によって添付の写真４をスクラップ台紙５０に再貼着し、メモリアルブック５を作成することができる。
【００２３】
以上のように、本実施の形態による送信用シート媒体１によれば、上記シール部材３によって写真４を簡易に且つ趣味性に富ませて添付することができるので、受取人の興味を強く引き付けることができる。
【００２４】
また、受取人にとっては送信用シート媒体１そのものを保管することなく、スクラップ台紙５０において添付されていた写真４をそのシール部材３の模様３５およびメッセージ等を配して見栄え良く且つ簡易に整理、保管等することができ、しかも、このスクラップ台紙５０を綴じ込んだメモリアルブック５等を簡易に作成することができる。
なお、本発明は、上記実施の形態のものに限定されず、本発明の範囲内で種々の設計変更が可能である。
【００２５】
例えば、上記シール部材３は、台紙本体２とほぼ同一の大きさとするが、台紙本体２よりも小さくてもよい。また、台紙本体２のスペースが許す限りシール部材３および写真４を複数枚貼り付けるようにしてもよい。
【００２６】
また、上記シール部材３には、模様３５、キャラクター、メッセージ欄３６等の装飾３７が施されているが、装飾３７のない無地のものでもよい。無地のシール部材３であれば、送り主が手書き等で自由にデザイン、メッセージ等の装飾を施すことができる。
【００２７】
また、この送信用シート媒体１に添付するものとしては、上記写真４に限らず、ＱＵＯカード・ギフトカード・チケット、商品券・各種プリペイドカード等の贈答品、地図・飲食メニューカード・名刺等の広告媒体などの薄物であってもよい。これにより、贈答品付き、宣伝広告付きなどのように、薄物（４）による特徴的な付加価値を付けて受取人の興味を強く引き付ける各種グリーティングカード、祝電等の電報、ダイレクトメール等を簡易に得ることができる。そして、この場合でも、シール部材３の表面に送り主のメッセージや住所等が記されていると、受取人にとっては、添付の薄物（４）とは別にこのシール部材３をスクラップ台紙５０等の他の部材に再貼着することで、送信用シート媒体１そのものを保管することや送信用シート媒体１から手書き等によって転記することなく、そのメッセージ等を簡易に整理、保管等することができる。
【００２８】
また、使い方としては、上述した個々人での利用の他に、特定の受付局が注文を受けて送信用シート媒体１の作成および発送手配等を行う電報サービス形態の中で利用されてもよい。例えば、まず、送り主は、受付局に、送り主情報（住所・氏名等）、受取人情報（住所・氏名等）、添付写真データ、メッセージ、シール部材の指定情報、到着指定日等を発信し、発注する。この送信発注手段としては、パソコンからの電子メール、携帯電話のメールサービス、あるいは受付局が開設するホームページへのアクセス等であってもよい。
【００２９】
そして、この注文を受けた受付局は、自ら、あるいはその指定業者によって、添付写真データを写真４にプリントすると共に指定のシール部材３にメッセージをプリントし、この写真４を指定のシール部材３によって上述の如く台紙本体２との間に保持させて送信用シート媒体１を作成する。
【００３０】
次いで、この送信用シート媒体１を、配達業者によって、送り主からの到達指定日に受取人に届けるようにする。
なお、この電報サービス形態の場合、添付する薄物を写真４に代えて、地図等の広告媒体とする場合は、送り主は、その広告データを受付局に発信することとなる。また、ギフトカード等の贈答品とする場合は、送り主は、その贈答品の特定データを受付局に発信し、受付局自ら、あるいはその指定業者が指定の贈答品を用意することとなる。
【００３１】
【発明の効果】
以上のように、本発明に係る送信用シート媒体によれば、写真等の特徴的で付加価値のある薄物を簡易に添付することができるので、受取人の興味を強く引き付けることができる。そして、台紙本体から剥離したシール部材によって添付されている写真等の薄物をスクラップ台紙等の他の部材に再貼着させることができるので、受取人にとっては送信用シート媒体そのものを保管することなく、写真等の特徴的な薄物を見栄え良く且つ簡易に整理、保管等することができる。しかも、このスクラップ台紙を綴じ込んだメモリアルブック等を簡易に作成することができる。
【００３２】
そして、シール部材の表面に送り主のメッセージや住所等が記されている場合には、添付の薄物とは別にこのシール部材をスクラップ台紙等の他の部材に再貼着させることで、送信用シート媒体そのものを保管することや送信用シート媒体から手書き等によって転記することなく、そのメッセージ等を簡易に整理、保管等することができる。
【００３３】
また、上記シール部材の表面に、模様、キャラクター、メッセージ欄等の装飾が施されてあると、シール部材の窓部から透視される写真等の薄物を装飾で飾ることができるので、送信用シート媒体の見栄えや再貼着させたスクラップ台紙等の他の部材の見栄えを一層良くすることができる。
【図面の簡単な説明】
【図１】本発明の実施の形態による送信用シート媒体の構成を示す平面図である。
【図２】送信用シート媒体におけるシール部材の２次利用として、スクラップ台紙に写真と共に再貼着された状態を示す平面図である。
【図３】従来の送信用シート媒体としてのポストカードを示す斜視図である。
【図４】従来の他の送信用シート媒体としてのメッセージカードを示す斜視図である。
【符号の説明】
１  送信用シート媒体
２  台紙本体
３  シール部材
４  写真（薄物）
５０  スクラップ台紙（別の部材）
３０  窓部
３３  フレーム部
３４  弱粘着性接着剤
３５  花模様
３６  メッセージ欄
３７  装飾
【図１】
2004338258.tif 000003
【図２】
2004338258.tif 000004
【図３】
2004338258.tif 000005
【図４】
2004338258.tif 000006